(57)【要約】【課題】モジュールからの熱を外に逃がすことができ、モジュール自身の更なる温度上昇に繋がることによるヒートシンクの大型化を防止し、コスト及びサイズを抑制することができる空気調和機の電装部品を提供すること。【解決手段】本発明の空気調和機の電装部品は、プリント基板と、プリント基板上に搭載するモジュールと、モジュールの発する熱を放熱するための放熱板と、放熱板とモジュールとを固定するビスと、プリント基板に固定される箱形状の固定スペーサとを備え、固定スペーサをプリント基板に固定することによって、モジュールのリード部を固定スペーサで覆うように構成され、固定スペーサには通風穴を設けた。【選択図】図１
2012233608.tif 000002
【特許請求の範囲】
【請求項１】
プリント基板と、前記プリント基板上に搭載するモジュールと、前記モジュールの発する熱を放熱するための放熱板と、前記放熱板と前記モジュールとを固定するビスと、前記プリント基板に固定される箱形状の固定スペーサとを備え、前記固定スペーサを前記プリント基板に固定することによって、前記モジュールのリード部を前記固定スペーサで覆うように構成され、前記固定スペーサには通風穴を設けたことを特徴とする空気調和機の電装部品。
【請求項２】
前記固定スペーサの一部が分割され伸縮可能に構成したことを特徴とする請求項１に記載の空気調和機の電装部品。
【発明の詳細な説明】
【技術分野】
【０００１】
本発明は、モジュールを搭載しているプリント基板を有する空気調和機の電装部品に関する。
【背景技術】
【０００２】
従来、この種の空気調和機は、プリント基板上にプリント基板から浮かして搭載するモジュ−ルを設置する時、プリント基板とモジュ−ルの間に、その双方を固定しさらにビスによって固定される部材（固定スペ−サ）を設けかつ、固定スペーサにモジュールリード部を覆う箱型形状の枠を設けた構造となっている（例えば、特許文献１参照）。
【０００３】
図３は、特許文献１に記載された従来の空気調和機の室外機に取付けたモジュールリード部の保護を容易に実現する固定スペ−サを示しかつ従来の空気調和機のパワー素子の放熱板取り付け構造を示すものである。
【０００４】
図３に示すように、プリント基板放１００上にモジュール２００と放熱板３００が実装され、プリント基板１００とモジュ−ル２００の間に挟んで固定スペ−サ４００を設け、さらにプリント基板１００に引っ掛けるための固定スペーサ爪５００と固定スペーサ４００の板状スペーサ部の周りに固定スペーサ枠６００が設けられている。
【０００５】
さらにモジュ−ル２００のモジュールリード部７００は、固定スペーサ枠６００内にあり囲われている。固定スペ−サ４００には、貫通穴８００を設け、さらに放熱板３００にはビス穴があいておりビス９００にて固定されている。
【０００６】
図３はそれぞれを固定した状態を示すものである。また、モジュール２００のリード部７００は、はんだにてプリント基板１００に固定されているものである。
【先行技術文献】
【特許文献】
【０００７】
【特許文献１】特開２００９−２４３６９６号公報
【発明の概要】
【発明が解決しようとする課題】
【０００８】
しかしながら、前記従来の構成では、小さな虫が侵入し、モジュールのリード部に虫が、集中することでリード間がショート状態となり部品破壊を防止するための固定スペーサ枠によってモジュール自身の自己発熱により周りの空気を温めることで、モジュール自身の更なる温度上昇に繋がることによりヒートシンクの大型化によるコスト及びサイズが増大するという課題を有していた。
【０００９】
本発明は、前記従来の課題を解決するもので、モジュールからの熱を外に逃がすことができ、モジュール自身の更なる温度上昇に繋がることによるヒートシンクの大型化を防止し、コスト及びサイズを抑制することができる空気調和機の電装部品を提供することを目的とする。
【課題を解決するための手段】
【００１０】
前記従来の課題を解決するために、本発明の空気調和機は、プリント基板と、前記プリント基板上に搭載するモジュールと、前記モジュールの発する熱を放熱するための放熱板と、前記放熱板と前記モジュールとを固定するビスと、前記プリント基板に固定される箱
形状の固定スペーサとを備え、前記固定スペーサを前記プリント基板に固定することによって、前記モジュールのリード部を前記固定スペーサで覆うように構成され、前記固定スペーサには通風穴を設けたことにより、モジュール自身の自己発熱により周りの空気を温めることで、モジュール自身の更なる温度上昇に繋がることによるヒートシンクの大型化を防止することを実現するとともに、コスト及びサイズを抑制することが可能となる。
【発明の効果】
【００１１】
本発明は、モジュールからの熱を外に逃がすことができ、モジュール自身の更なる温度上昇に繋がることによるヒートシンクの大型化を防止し、コスト及びサイズを抑制することができる空気調和機の電装部品を提供することができる。
【図面の簡単な説明】
【００１２】
【図１】（ａ）本発明の実施の形態１における空気調和機の電装部品の側面図（ｂ）同実施の形態１における固定スペーサの上面図（ｃ）同実施の形態１における固定スペーサの側面図
【図２】（ａ）本発明の実施の形態２における空気調和機の電装部品の側面図（ｂ）同実施の形態２における固定スペーサの上面図（ｃ）同実施の形態２における固定スペーサの側面図
【図３】従来の空気調和機の電装部品の構成図
【発明を実施するための形態】
【００１３】
第１の発明の空気調和機の電装部品は、プリント基板と、プリント基板上に搭載するモジュールと、モジュールの発する熱を放熱するための放熱板と、放熱板とモジュールとを固定するビスと、プリント基板に固定される箱形状の固定スペーサとを備え、固定スペーサをプリント基板に固定することによって、モジュールのリード部を固定スペーサで覆うように構成され、固定スペーサには通風穴を設けたことにより、モジュールから発生した熱が通風穴から外部へと放出されるため、モジュール自体の熱の上昇を防ぐことができる。
【００１４】
第２の発明の空気調和機の電装部品は、特に、第１の発明において、固定スペーサの一部が分割され伸縮可能に構成したことにより、放熱板のサイズが合理化等で変更された際にも箱形状の大きさを変えることで対応することができる。
【００１５】
以下、本発明の実施の形態について、図面を参照しながら説明する。なお、この実施の形態によって本発明が限定されるものではない。
【００１６】
（実施の形態１）
図１（ａ）は、本発明の実施の形態１における空気調和機の電装部品の構成図である。図１において、プリント基板１と、プリント基板１の部品面側に実装されたモジュール２と、モジュール２の発する熱を放熱するための放熱板３を備えている。
【００１７】
また、モジュール２とプリント基板１の間に挿入された板状の固定スペーサ４と、固定スペーサ４とプリント基板１に引っ掛けるための固定スペーサ爪５を有する。
【００１８】
また、固定スペーサ４の板状スペーサ部分の周りに設けられた固定スペーサ枠６と、モジュールリード部７とを備え、固定スペーサ枠６の枠内に収まる形状で、プリント基板１にはんだにて固定されている。
【００１９】
また、固定スペーサ４の両端に２箇所設けられた貫通穴８を備え、固定スペーサ爪５にて仮固定することで、ビス９を上方より貫通穴８に容易に貫通させるものである。また、
コーティング材でプリント基板１のはんだ面側パターン及び部品リード等に塗布されている。また、固定スペーサ枠６には通風穴１１が設けられている。
【００２０】
さらに、図１（ｂ）は、固定スペーサ４の上面図であり、図１（ｃ）は、固定スペーサ４の側面図である。
【００２１】
以上のように構成された箱型形状の固定スペーサ枠に設けられた通風穴による温度上昇抑制及び箱形状の固定スペーサによるモジュールリード部のショート破壊防止について、以下その動作、作用を説明する。
【００２２】
図１において最初に、プリント基板１に設けられている穴に固定スペーサ爪５を挿入することにより、固定スペーサ４を仮固定し、その上にモジュール２を実装し、さらにその上に放熱板３を積み重ねる構造となる。さらにプリント基板１及びモジュール２には貫通穴があいており、放熱板３にはビス穴があいており、固定スペーサ４にも貫通穴８が設けられおり、ビス９にて貫通穴８を通して、プリント基板１と放熱板３を固定する。また、モジュール２のモジュールリード部７は、固定スペーサ枠６の枠内に収められておりプリント基板１にはんだにて固定し、部品面側リード部は、虫等の侵入ができる隙間をなくす構造とする。また固定スペーサ枠６に虫等が侵入できない大きさの通風穴を設ける構造とする。
【００２３】
次に、固定スペーサ枠６に設けられた通風穴１１により固定スペーサ枠内のモジュール２自身の自己発熱により周りの空気を流動させることで、モジュール２自身の更なる温度上昇を抑制する流れについて説明すると、室外機１２において、室外機天板１３との隙間または、室外ファン１４の開口部より外気が屋外より室外機内に侵入し、さらにプリント基板１まで到達する。この外気が、通風穴１１を通り、モジュール２及びモジュールリード部７を通過し、反対側の通風穴１１より外気が抜けることでモジュール２の自己発熱により温度上昇した周囲の空気を移動させることで冷却する構造となる。
【００２４】
以上のように、本実施の形態においては、プリント基板上にプリント基板から浮かして搭載するモジュールを設置する時、プリント基板とモジュールの間に、その双方を固定しさらにビスによって固定される固定スペーサを設けかつ、固定スペーサにモジュールリード部を覆う箱型形状の枠を設けかつ固定スペーサ枠に通風穴を設けることでモジュール自身の自己発熱により温められた周りの空気を移動させることで、モジュール自身の更なる温度上昇を抑制することによりヒートシンクの大型化を防止することを実現するとともに、プリント基板と放熱板の隙間より小さな虫が侵入し、モジュールのリード部に虫が、集中することでリード間がショート状態を防止し、コスト及び作業時間を低減することが実現できる。
【００２５】
（実施の形態２）
図２（ａ）は、本発明の実施の形態２における空気調和機の電装部品の側面図であり、図２（ｂ）固定スペーサの上面図であり、図２（ｃ）固定スペーサの側面図である。実施の形態１と異なる箇所は、固定スペーサを分割構成にし、伸縮可能に構成したことである。それ以外の構成については実施の形態１と同じである。また、実施の形態１と同じ部位については同じ符号を付して説明を省略する。
【００２６】
本実施の形態２においては、固定スペーサ４を、第１の固定スペーサ枠６ａと第２の固定スペーサ枠６ｂに分割して構成している。
【００２７】
そして、放熱板３のサイズが合理化等で小さくなったり、大きくなったりした場合に、第１の固定スペーサ枠６ａおよび第２の固定スペーサ枠６ｂをスライドすることによって
、箱形状の大きさを変えることができる。そのため、放熱板３の大きさが変更になった際であっても、隙間を作ることなく固定スペーサ枠の形状を最適にすることができる。
【産業上の利用可能性】
【００２８】
以上のように、本発明にかかる空気調和機の電装部品は、空気調和機の室外機に搭載されるため、例えば、ヒートポンプ式給湯機の室外ユニットの電装部品等に適用することができる。
【符号の説明】
【００２９】
１  プリント基板
２  モジュール
３  放熱板
４  固定スペーサ
５  固定スペーサ爪
６  固定スペーサ枠
６ａ  第１の固定スペーサ枠
６ｂ  第２の固定スペーサ枠
７  モジュールリード部
８  貫通穴
９  ビス
１１  通風穴
【図１】
2012233608.tif 000003
【図２】
2012233608.tif 000004
【図３】
2012233608.tif 000005